(57)【要約】【課題】エレベータの乗場やかご内に取付けた状態で各ＬＥＤユニット内に組込まれたＬＥＤ素子の輝度調整の容易化を図る。【解決手段】各階毎に設けられた各ＬＥＤユニット２１においては、ＬＥＤ素子９に対する通流電流を調整するための可変抵抗２４をこの可変抵抗の調整つまみ２５が上方に露出するように支持する本体支持ケース２２と、内部にＬＥＤ素子が収納され、かつ可変抵抗の調整つまみ２５が連結され、回転させることによって、可変抵抗２４の抵抗値を変更させる回転カバー２３を備えている。【選択図】      図１
2009057199.tif 000002
【特許請求の範囲】
【請求項１】
各階床のエレベータ乗場及びかご内に設置され、それぞれＬＥＤ素子及びこのＬＥＤ素子の通電電流を調整する輝度調整用の可変抵抗が組込まれた複数のＬＥＤユニットが配列され、エレベータ制御部にて、この配列された複数のＬＥＤユニットのうち前記かごが現在位置する階床に割当られたＬＥＤユニットのＬＥＤ素子を通電させることにより、前記かごの現在位置を表示するエレベータの階床表示装置において、
前記各ＬＥＤユニットは、
前記エレベータ制御部から当該ＬＥＤユニットに対する通電電流が供給されるソケットと、
一端を前記ソケットに装着することによって当該ソケットを介して前記ＬＥＤ素子に対する通電電流が供給されるとともに、前記可変抵抗をこの可変抵抗の調整つまみが他端に露出するように支持する本体支持ケースと、
内部に前記ＬＥＤ素子が設けられ、かつ前記可変抵抗の調整つまみが連結され、前記本体支持ケースの他端を、前記調整つまみを中心に回転自在に覆う透光性材料で形成された回転カバーと、
前記回転カバー内に設けられた前記ＬＥＤ素子と前記本体支持ケース内に設けられた可変抵抗とを電気的に接続する一対の接点機構とを備えた
ことを特徴とするエレベータの階床表示装置。
【請求項２】
前記各接点機構は、互い対向する前記本体支持ケースと前記回転カバーとの何れか一方の対向面に形成され、前記調整つまみと軸心を共有する筒状導体と、他方の対向面に形成され前記筒状導体に接触する摺動接点とで構成されたことを特徴とする請求項１記載のエレベータの階床表示装置。
【請求項３】
各階床のエレベータ乗場及びかご内に設置され、それぞれＬＥＤ素子及びこのＬＥＤ素子の通電電流を調整する輝度調整用の可変抵抗が組込まれた複数のＬＥＤユニットが配列され、エレベータ制御部にて、この配列された複数のＬＥＤユニットのうち前記かごが現在位置する階床に割当られたＬＥＤユニットのＬＥＤ素子を通電させることにより、前記かごの現在位置を表示するエレベータの階床表示装置において、
前記各ＬＥＤユニットは、
前記エレベータ制御部から当該ＬＥＤユニットに対する通電電流が供給されるソケットと、
一端を前記ソケットに装着することによって当該ソケットを介して前記ＬＥＤ素子に対する通電電流が供給されるとともに、前記可変抵抗をこの可変抵抗の調整溝が他端方向に向くように支持する本体支持ケースと、
一端が前記可変抵抗の調整溝に係合する連結棒と、
内部に前記ＬＥＤ素子が設けられ、かつ前記連結棒の他端が固定され、前記本体支持ケースの他端を、前記連結棒を中心に回転自在に覆う透光性材料で形成された回転カバーと、
前記回転カバー内に設けられた前記ＬＥＤ素子と前記本体支持ケース内に設けられた可変抵抗とを前記連結棒を介して電気的に接続する一対の接点機構とを備えた
ことを特徴とするエレベータの階床表示装置。
【請求項４】
前記一対の接点機構は、前記連結棒の外周面に形成された外周導体と、この外周導体に接触する摺動接点と、前記連結棒の中心軸に形成された棒状導体と、この棒状導体に接触する摺動接点とを備えた
ことを特徴とする請求項３記載のエレベータの階床表示装置
【発明の詳細な説明】
【技術分野】
【０００１】
本発明は、エレベータシステムにおける各階のエレベータホールやかご内に取付けられ、昇降路内を上下移動するかごが現在位置する階床を表示するエレベータの階床表示装置に係わり、特に、予め各階に割当てられたＬＥＤユニットを点灯するエレベータの階床表示装置に関する。
【背景技術】
【０００２】
図６（ａ）に示すエレベータシステムにおける各階のエレベータホールのドア１近傍の壁４や、図６（ｂ）に示すエレベータのかご２内に内には、昇降路内を上下移動するかご２の現在位置（現在の階床）を表示する階床表示装置３が取付けられている。
【０００３】
図６（ｃ）は、エレベータホールの壁４に埋込固定された階床表示装置３を示す断面模式図である。この階床表示装置３は例えば１階から５階までの各階に割当てられた５個のＬＥＤユニット５で構成されている。そして、この５個のＬＥＤユニット５の前面を共通に覆うアクリル製のカバー６が取付けられている。カバー６の各ＬＥＤユニット５に対向する位置には、「１」、「２」、「３」、「４」、「５」の各階を示す数字が刻設されている。
【０００４】
図６（ｄ）は、階床表示装置３の全体回路図である。各ＬＥＤユニット５においては（＋）端子１０、（−）端子１１が設けられたソケット７に対して、ＬＥＤ素子９が組込まれたＬＥＤ表示灯８が着脱自在に設けられている。そして、各ＬＥＤユニット５のソケット７の（＋）端子１０、（−）端子１１は、信号線１３、１４を介して、エレベータの全体動作を制御するエレベータ制御部１２に接続されている。
【０００５】
図７は、各ＬＥＤユニット５の詳細回路図である。信号線１３に接続された（＋）端子１０はソケット７内におけるソケット内接点１５に配線接続されている。また、信号線１４に接続された（−）端子１１はソケット７内におけるソケット内接点１６に配線接続されている。
【０００６】
そして、ＬＥＤ表示灯８をソケット７に挿入することで、ソケット内接点１５、１６は、信号線１７，１８を介してＬＥＤ素子９の両端子に接続される。また、一方の信号線１７に電流制限用抵抗１９が介挿されている。さらに、ＬＥＤ素子９に対して、このＬＥＤ素子９の通電電流を調整する輝度調整用の調整用抵抗２０が並列接続されている。
【０００７】
このような構成のエレベータの階床表示装置において、エレベータ制御部１２から信号線１３、１４を介して、指定された階のＬＥＤユニット５の（＋）端子１０、（−）端子１１に通電電流が供給され、ＬＥＤ素子９が点灯すると、カバー６の対向する位置の数字が明るく照らされて、エレベータホールの利用者は、この階床表示装置３で、エレベータのかご２の現在位置（現在階）を確認することが可能である。
【０００８】
このようなエレベータの階床表示装置において、従来、特許文献１に示すように、表示器の光源として白熱灯が使用されていた。しかし、近年、自熱灯の代りに、上述したように、光源として、ＬＥＤ素子９が使用されることが多くなってきた。
【０００９】
光源として、ＬＥＤ素子９を使用する理由として、ＬＥＤ素子９は白熱灯に比べ寿命が長いという利点があり、白熱灯の球切れにより階床表示装置におけるエレベータのかご２の現在位置が確認できなくなることを防止している。なお、前述した特許文献１には、白熱灯が切れたことを、光ファイバで検出する技術が開示されている。
【特許文献１】特開平８−５９１１３号公報
【発明の開示】
【発明が解決しようとする課題】
【００１０】
しかしながら上述した光源として、ＬＥＤ素子９を使用したエレベータの階床表示装置においても、まだ解消すべき次のような課題があった。
【００１１】
すなわち、ＬＥＤ素子は、製造上で輝度のバラツキが大きく、図６（ｃ）、図６（ｄ）に示すように、複数のＬＥＤユニット５が配列されていた場合、個々のＬＥＤユニット５の輝度バラツキが目立ちやすい。
【００１２】
このようなことから、エレベータの階床表示装置に組込まれているＬＥＤ素子は、同一仕様を有する多数の素子の輝度を測定して、複数の素子を輝度レベルに応じて複数のグループに分類して、一つのエレベータの階床表示装置においては、同一グループに所属するＬＥＤ素子を使用することが実施されている。
【００１３】
また、別の対策として、ＬＥＤ素子の輝度はこのＬＥＤ素子に流れる電流の電流値により決まるが、同じ電流値の電流を流したとしても、輝度に違いが発生することから、各ＬＥＤ素子相互間で同一輝度が得られるように、各ＬＥＤ素子に流れる電流を制御することが考えられる。
【００１４】
具体的には、図７に示すように、ＬＥＤ素子９に対して、このＬＥＤ素子９の通電電流を調整する輝度調整用の調整用抵抗２０を並列接続している。そして、抵抗値が異なる多数の調整用抵抗２０を準備して、この調整用抵抗２０をＬＥＤ素子９に対して順番に付け替えして、全部のＬＥＤ素子９の輝度が同一になるように各ＬＥＤ素子に流れる電流を調整する。
【００１５】
しかしながら、上述した、同一仕様を有する多数の素子の輝度を測定して、複数の素子を輝度レベルに応じて複数のグループに分類する作業、及び調整用抵抗２０を付け替える作業は、この階床表示装置の製造工程が複雑化し、製造期間が長期化し、製造費用が上昇する。
【００１６】
さらに、この階床表示装置３をエレベータホールの壁４やかご２内に取付けた後に、各ＬＥＤユニット５のＬＥＤ素子９の輝度調整のために、調整用抵抗２０をその場で、付け替えることは、はんだ付け作業等を含み、非常に困難である。
【００１７】
本発明はこのような事情に鑑みてなされたものであり、各階毎に設けられた各ＬＥＤユニットに組込むＬＥＤ素子を、予め輝度測定されたなかから類似した輝度のＬＥＤ素子から選択する必要なく、さらに、一旦ＬＥＤ素子に接続した調整用抵抗を付け替えることもなく、エレベータホールの壁やかご内に取付けた状態で、簡単に、各ＬＥＤユニットに組込まれたＬＥＤ素子の輝度調整ができるエレベータの階床表示装置を提供することを目的とする。
【課題を解決するための手段】
【００１８】
上記課題を解消するために、本発明は、各階床のエレベータ乗場及びかご内に設置され、それぞれＬＥＤ素子及びこのＬＥＤ素子の通電電流を調整する輝度調整用の可変抵抗が組込まれた複数のＬＥＤユニットが配列され、エレベータ制御部にて、この配列された複数のＬＥＤユニットのうちかごが現在位置する階床に割当られたＬＥＤユニットのＬＥＤ素子を通電させることにより、かごの現在位置を表示するエレベータの階床表示装置において、
各ＬＥＤユニットは、エレベータ制御部から当該ＬＥＤユニットに対する通電電流が供給されるソケットと、一端をソケットに装着することによって当該ソケットを介してＬＥＤ素子に対する通電電流が供給されるとともに、可変抵抗をこの可変抵抗の調整つまみが他端に露出するように支持する本体支持ケースと、内部にＬＥＤ素子が設けられ、かつ可変抵抗の調整つまみが連結され、本体支持ケースの他端を、調整つまみを中心に回転自在に覆う透光性材料で形成された回転カバーと、回転カバー内に設けられたＬＥＤ素子と本体支持ケース内に設けられた可変抵抗とを電気的に接続する一対の接点機構とを備えている。
【００１９】
このように構成されたエレベータの階床表示装置においては、建屋の各階を示す各ＬＥＤユニットは、ソケットと、本体支持ケースと、回転カバーと、一対の接点機構とで構成されている。そして、ＬＥＤ素子は回転カバー内に収納され、輝度調整用の可変抵抗が本体支持ケース内に収納されている。可変抵抗の調整つまみが回転カバーに連結されている。
【００２０】
したがって、各ＬＥＤユニットの先端部の回転カバーを例えば指でつまんで回転させることによって、このＬＥＤユニットの回転カバー内に組込まれたＬＥＤ素子の輝度を調整することが可能となる。
【００２１】
また、別の発明は、上記発明のエレベータの階床表示装置における各接点機構を、互いに対向する本体支持ケースと回転カバーとの何れか一方の対向面に形成され、調整つまみと軸心を共有する筒状導体と、他方の対向面に形成され筒状導体に接触する摺動接点とで構成している。
【００２２】
このように構成された階床表示装置においては、たとえ、ＬＥＤ素子を輝度調整を行うために、回転カバーを回転させたとしても、筒状導体と摺動接点との間の接触状態が崩れることはないので、階床表示装置としての信頼性を向上できる。
【００２３】
また、別の発明は、上記したエレベータの階床表示装置における各ＬＥＤユニットを、エレベータ制御部から当該ＬＥＤユニットに対する通電電流が供給されるソケットと、一端をソケットに装着することによって当該ソケットを介してＬＥＤ素子に対する通電電流が供給されるとともに、可変抵抗をこの可変抵抗の調整溝が他端方向に向くように支持する本体支持ケースと、一端が可変抵抗の調整溝に係合する連結棒と、内部にＬＥＤ素子が収納され、かつ連結棒の他端が固定され、本体支持ケースの他端を、連結棒の中心に回転自在に覆う透光性材料で形成された回転カバーと、回転カバー内に設けられた前記ＬＥＤ素子と本体支持ケース内に設けられた可変抵抗とを連結棒を介して電気的に接続する一対の接点機構とを備えている。
【００２４】
このように構成されたエレベータの階床表示装置においては、本体支持ケース内に設けられた可変抵抗には「調整つまみ」が設けられていなくて、この「調整つまみ」に代わりに、「調整溝」が刻設されている。一般的に、このような構成の可変抵抗においては、例えば、ドライバの先端を調節溝に差し込んで回転することによって、抵抗値を可変させる。
【００２５】
したがって、本体支持ケースに収納された可変抵抗の調整溝と回転カバーとを連結棒で接続することによって、回転カバーを回転させることによって、ＬＥＤ素子の輝度を調整することが可能となる。
【００２６】
また、別の発明は、上記発明のエレベータの階床表示装置における一対の接点機構を、連結棒の外周面に形成された外周導体と、この外周導体に接触する摺動接点と、連結棒の中心軸に形成された棒状導体と、この棒状導体に接触する摺動接点とで構成している。このような構成においては、ソケット側から供給される電流を確実に回転カバー内に設けられたＬＥＤ素子に供給でき、階床表示装置の信頼性を向上できる。
【発明の効果】
【００２７】
本発明においては、ＬＥＤ素子を回転カバー内に収納し、輝度調整用の可変抵抗を本体支持ケース内に収納し、回転カバーを回転させることによって、可変抵抗の抵抗値が変化する。その結果、エレベータホールの壁４やかご２内に取付けた状態で、簡単に、各ＬＥＤユニットに組込まれたＬＥＤ素子の輝度調整ができる。
【発明を実施するための最良の形態】
【００２８】
以下、本発明の各実施形態を図面を用いて説明する。
【００２９】
（第１実施形態）
図１（ａ）は本発明の第１実施形態に係わるエレベータの階床表示装置に組込まれた５個のＬＥＤユニットのうちの１個のＬＥＤユニット２１の外観図であり、図１（ｂ）は同ＬＥＤユニット２１の断面模式図である。図７に示す従来のＬＥＤユニット５と同一部分には、同一符号を付して、重複する部分の詳細説明を省略する。
【００３０】
さらに、第１実施形態に係わるエレベータの階床表示装置の設置場所は図６（ａ）、（ｂ）に示した従来装置と同じである。また、全体構成も図６（ｃ）に示した従来装置と同じである。さらに、全体回路図も図６（ｄ）に示した従来装置と同じである。
【００３１】
図１（ａ）、（ｂ）に示すように、第１実施形態のエレベータの階床表示装置に組込まれたＬＥＤユニット２１は、大きく分けて、ソケット７と、本体支持ケース２２と、回転カバー２３と、一対の接点機構とで構成されている。そして、ＬＥＤ素子９は回転カバー２３内に収納され、輝度調整用の可変抵抗２４が本体支持ケース２２内に収納されている。
【００３２】
ソケット７に対して着脱自在に設けられた円柱形状の本体支持ケース２２内に調整つまみ２５の先端が、本体支持ケース２２の上端面３２より上方に位置するように可変抵抗２４が配設されている。この調整つまみ２５の先端が、回転カバー２３の中心に固定されている。したがって、回転カバー２３を回転させると、可変抵抗２４の抵抗値が変化する。
【００３３】
本体支持ケース２２の上端面３２には、図２（ｂ）に示すように、同心状に、２つの環状導体２６、２７が形成されている。回転カバー２３の下面には、図２（ａ）に示すように、各環状導体２６、２７に接触する摺動接点２８、２９が取付られている。そして、摺動接点２８、２９間にＬＥＤ素子９が接続されている。各環状導体２６、２７は可変抵抗２４の両端子に接続されている。なお、回転カバー２３は光拡散機能を有する透光性材料で形成されている。
【００３４】
ソケット７の（＋）端子１０、（−）端子１１は、信号線１３、１４を介して、エレベータの全体動作を制御するエレベータ制御部１２に接続されている。信号線１３に接続された（＋）端子１０はソケット７内におけるソケット内接点１５に配線接続されている。また、信号線１４に接続された（−）端子１１はソケット７内におけるソケット内接点１６に配線接続されている。
【００３５】
そして、本体支持ケース２２をソケット７に挿入することで、ソケット内接点１５、１６は、信号線３０、３１、各環状導体２６、２７、各摺動接点２８，２９を介してＬＥＤ素子９に接続されるとともに、可変抵抗２４の両端子に接続される。また、一方の信号線３０に電流制限用抵抗１９が介挿されている。
【００３６】
このように構成された第１実施形態のエレベータの階床表示装置において、エレベータ制御部１２から信号線１３、１４を介して、指定された階のＬＥＤユニット２１の（＋）端子１０、（−）端子１１に通電電流が供給され、ＬＥＤ素子９が点灯すると、カバー６の対向する位置の数字が明るく照らされて、エレベータホールの利用者は、この階床表示装置で、エレベータのかご２の現在位置（現在階）を確認することが可能である。
【００３７】
そして、この階床表示装置の５個のＬＥＤユニット２１のＬＥＤ素子の輝度調整を行う場合には、各ＬＥＤユニット２１の先端部の回転カバー２３を例えば指でつまんで回転させることによって、輝度調整用の可変抵抗２４の抵抗値が変化するので、このＬＥＤユニット２１の回転カバー２３内に組込まれたＬＥＤ素子９の輝度を調整することが可能となる。その結果、この実施形態の階床表示装置をエレベータホールの壁４やかご２内に取付けた状態で、簡単に、各ＬＥＤユニット２１に組込まれたＬＥＤ素子９の輝度調整ができる。
【００３８】
なお、環状導体２６、２７を回転カバー２３側に取付、摺動接点２８、２９を本体支持ケース側に取付けることも可能である。
【００３９】
（第２実施形態）
図３（ａ）は本発明の第２実施形態に係わるエレベータの階床表示装置に組込まれた５個のＬＥＤユニットのうちの１個のＬＥＤユニット２１ａの要部を示す断面模式図である。図３（ｂ）は、ＬＥＤユニット２１ａの本体支持ケース２２ａの外観図である。図１（ｂ）に示す第１実施形態のＬＥＤユニット２１と同一部分には、同一符号を付して、重複する部分の詳細説明を省略する。
【００４０】
この第２実施形態においては、ＬＥＤユニット２１ａの本体支持ケース２２ａの上端面３２ａ上には、図２（ｂ）に示した、環状導体２６、２７に代えて、可変抵抗２４の調整つまみ２５と軸心を共用する２個の筒状導体３３、３４が取付けられている。回転カバー２３ａの下面には、前記各筒状導体３３、３４が挿入される環状溝３５、３６が刻設されており、この環状溝３５、３６内に、各筒状導体３３、３４の外周面、内周面に接触する摺動接点３６、３７が取付られている。そして、摺動接点３７、３８９間にＬＥＤ素子９が接続されている。筒状導体３３、３４は可変抵抗２４の両端子に接続されている。
【００４１】
このように構成された第２実施形態の階床表示装置においては、たとえ、各ＬＥＤユニット２１ａのＬＥＤ素子９を輝度調整を行うために、回転カバー２３ａを回転させたとしても、筒状導体３３、３４と摺動接点３７、３８との間の接触状態が崩れることはないので、階床表示装置としての信頼性を向上できる。
【００４２】
（第３実施形態）
図４は本発明の第３実施形態に係わるエレベータの階床表示装置に組込まれた５個のＬＥＤユニットのうちの１個のＬＥＤユニット２１ｂの要部を示す断面模式図である。図１（ｂ）に示す第１実施形態のＬＥＤユニット２１と同一部分には、同一符号を付して、重複する部分の詳細説明を省略する。
【００４３】
この第３実施形態のＬＥＤユニット２１ｂの本体支持ケース２２ｂ内に設けられた可変抵抗２４ａにおいては、調整つまみ２５が設けられていなくて、この調整つまみ２５の代わりに、図５（ｂ）に示した「＋」形状、又は「−」形状の調整溝３９が刻設されている。
【００４４】
そして、本体支持ケース２２ｂに収納された可変抵抗２４ａの調整溝３９と回転カバー２３ｂとを図５（ａ）に示す連結棒４０で接続している。したがって、回転カバー２３ｂを指でつまんで回転させることによって、可変抵抗２４ａの抵抗値を変更することができる。
【００４５】
連結棒４０においては、可変抵抗２４ａの調整溝３９に係止される中心軸は導体で形成された棒状導体４１を構成し、この棒状導体４１の上端部と下端部とを除いた外周面に絶縁層４２を形成している。そして、この絶縁層４２の外周面に外周導体４３が形成されている。
【００４６】
そして、この連結棒４０の回転カバー２３ｂ内に位置する先端部分の棒状導体４１と外周導体４３との間に、ＬＥＤ素子６が接続さている。
【００４７】
さらに、本体支持ケース２２ｂ内に、この連結棒４０の棒状導体４１に接触する摺動接点４４が設けられ、さらに、この連結棒４０の外周導体４３に接触する摺動接点４５が設けられている。摺動接点４４、４５は可変抵抗２４ａの両端子に接続されている。
【００４８】
このように構成された第３実施形態の階床表示装置においても、回転カバー２３ｂを回転すれば、可変抵抗２４ａの抵抗値が変化し、当該ＬＥＤユニット２１ｂのＬＥＤ素子９の輝度が変化する。したがって、前述した第１、第２の実施形態のエレベータの階床表示装置とほぼ同じ作用効果を奏することが可能である。
【００４９】
さらに、この第３実施形態においては、調整つまみ２５の代わりに、図５（ｂ）に示した「＋」形状、又は「−」形状の調整溝３９が刻設された可変抵抗２４ａを採用することができる。
【００５０】
また、第２実施形態の階床表示装置と同様に、たとえ、各ＬＥＤユニット２１ｂのＬＥＤ素子９の輝度調整を行うために、回転カバー２３ｂを回転させたとしても、棒状導体４１と摺動接点４４との間の接触状態、及び外周導体４３と摺動接点４５との間の接触状態が崩れることはないので、階床表示装置としての信頼性を向上できる。
【図面の簡単な説明】
【００５１】
【図１】本発明の第１実施形態に係わるエレベータの階床表示装置に組込まれたＬＥＤユニットの構成を示す図
【図２】同実施形態のＬＥＤユニットの各部品を示す図
【図３】本発明の第２実施形態に係わるエレベータの階床表示装置に組込まれたＬＥＤユニットの構成を示す図
【図４】本発明の第３実施形態に係わるエレベータの階床表示装置に組込まれたＬＥＤユニットの構成を示す図
【図５】同実施形態のＬＥＤユニットの要部部品を示す図
【図６】一般的なエレベータの階床表示装置の設置場所及び全体構成を示す図
【図７】従来のエレベータの階床表示装置に組込まれたＬＥＤユニットの構成を示す図
【符号の説明】
【００５２】
２…かご、４…壁、７…ソケット、９…ＬＥＤ素子、１０…（＋）端子、１１…（−）端子、１２…エレベータ制御部、１３，１４，３０，３１…信号線、１５，１６…ソケット内接点、１９…電流制限抵抗、２１，２１ａ，２１ｂ…ＬＥＤユニット、２２，２２ａ，２２ｂ…本体支持ケース、２３，２３ａ，２３ｂ…回転カバー、２４，２４ａ…可変抵抗、２５…調整つまみ、２６，２７…環状導体、２８，２９，３７，３８，４４，４５…摺動接点、３２，３２ａ…上端面、３３，３４…筒状導体、３５，３６…環状溝、３９…調整溝、４０…連結棒、４１…棒状導体、４２…絶縁層、４３…外周導体
【図１】
2009057199.tif 000003
【図２】
2009057199.tif 000004
【図３】
2009057199.tif 000005
【図４】
2009057199.tif 000006
【図５】
2009057199.tif 000007
【図６】
2009057199.tif 000008
【図７】
2009057199.tif 000009